【手続補正書】
【提出日】平成22年2月12日(2010.2.12)
【手続補正１】
【補正対象書類名】特許請求の範囲
【補正対象項目名】全文
【補正方法】変更
【補正の内容】
【特許請求の範囲】
【請求項１】
放電灯の点灯を制御する放電灯点灯制御装置であって、
入力電圧を所定範囲の直流電圧に降圧して出力するダウンコンバータ回路と、
前記ダウンコンバータ回路が出力する前記直流電圧を所定範囲の駆動周波数を有する交流電流に変換して前記放電灯に供給するインバータ回路と、
前記放電灯の両電極間にかかる放電灯電圧を検出する放電灯電圧検出部と、
前記放電灯の両電極間に流れる放電灯電流を検出する放電灯電流検出部と、
前記放電灯が点灯を開始した後、前記放電灯電流検出部が検出した前記放電灯電流及び前記放電灯電圧検出部が検出した前記放電灯電圧に応じて前記ダウンコンバータ回路が出力する前記直流電圧を増加又は減少させることにより、前記放電灯電圧が所定の第１の電圧値よりも小さい所定の第２の電圧値よりも低い場合は、前記放電灯電流が一定になるように定電流制御を行い、前記放電灯電圧が前記第２の電圧値以上であり、かつ、前記第１の電圧値よりも低い場合は、前記放電灯電流が、前記放電灯電圧が前記第１の電圧値と一致する場合の前記放電灯電流よりも小さくなるように制御し、前記放電灯電圧が前記第１の電圧値以上の場合は、前記放電灯に供給される電力が一定になるように定電力制御を行う放電灯駆動制御部と、を含み、
前記放電灯駆動制御部は、
前記放電灯電圧が前記第２の電圧値よりも低い場合の前記駆動周波数が前記放電灯電圧が前記第１の電圧値よりも高い場合の前記駆動周波数よりも低くなるように前記インバータ回路を制御する放電灯駆動周波数制御部を含むことを特徴とする放電灯点灯制御装置。
【請求項２】
請求項１において
前記放電灯駆動制御部は、
前記放電灯電圧が前記第２の電圧値以上であり、かつ、前記第１の電圧値よりも低い場合は、前記放電灯電圧の上昇に応じて前記放電灯電流を増加させるように制御することを特徴とする放電灯点灯制御装置。
【請求項３】
放電灯の点灯を制御する放電灯点灯制御装置であって、
入力電圧を所定範囲の直流電圧に降圧して出力するダウンコンバータ回路と、
前記ダウンコンバータ回路が出力する前記直流電圧を所定範囲の駆動周波数を有する交流電流に変換して前記放電灯に供給するインバータ回路と、
前記放電灯の両電極間にかかる放電灯電圧を検出する放電灯電圧検出部と、
前記放電灯の両電極間に流れる放電灯電流を検出する放電灯電流検出部と、
前記放電灯が点灯を開始した後、前記放電灯電流検出部が検出した前記放電灯電流及び前記放電灯電圧検出部が検出した前記放電灯電圧に応じて前記ダウンコンバータ回路が出力する前記直流電圧を増加又は減少させることにより、前記放電灯電圧が所定の第１の電圧値よりも小さい所定の第２の電圧値よりも低い場合は、前記放電灯電流が一定になるように第１の定電流制御を行い、前記放電灯電圧が前記第２の電圧値以上であり、かつ、前記第１の電圧値よりも小さい所定の第３の電圧値よりも低い場合は、前記放電灯電流が、前記放電灯電圧が前記第３の電圧値と一致する場合の前記放電灯電流よりも小さくなるように制御し、前記放電灯電圧が前記第３の電圧値以上であり、かつ、前記第１の電圧値よりも低い場合は、前記放電灯電流が一定になるように第２の定電流制御を行い、前記放電灯電圧が前記第１の電圧値以上の場合は、前記放電灯に供給される電力が一定になるように定電力制御を行う放電灯駆動制御部と、を含み、
前記放電灯駆動制御部は、
前記放電灯電圧が前記第２の電圧値よりも低い場合の前記駆動周波数が前記放電灯電圧が前記第１の電圧値よりも高い場合の前記駆動周波数よりも低くなるように前記インバータ回路を制御する放電灯駆動周波数制御部を含むことを特徴とする放電灯点灯制御装置。
【請求項４】
請求項３において、
前記放電灯駆動制御部は、
前記放電灯電圧が前記第３の電圧値以上であり、かつ、前記第１の電圧値よりも低い場合の前記放電灯電流が、前記放電灯電圧が前記第１の電圧値と一致する場合の前記放電灯電流と一致するように前記第２の定電流制御を行うことを特徴とする放電灯点灯制御装置。
【請求項５】
請求項３又は４において
前記放電灯駆動制御部は、
前記放電灯電圧が前記第２の電圧値以上であり、かつ、前記第３の電圧値よりも低い場合は、前記放電灯電圧の上昇に応じて前記放電灯電流を増加させるように制御することを特徴とする放電灯点灯制御装置。
【請求項６】
請求項１乃至５のいずれかに記載の放電灯点灯制御装置を含むプロジェクタ。
【手続補正２】
【補正対象書類名】明細書
【補正対象項目名】００５６
【補正方法】変更
【補正の内容】
【００５６】
図３は、インバータ（ＤＣ／ＡＣ変換回路）の構成例を説明するための図である。インバータ（ＤＣ／ＡＣ変換回路）１３０は、４つのＮＰＮ形トランジスタＴ２〜Ｔ５、コイルＬ２、コンデンサＣ２を含むフルブリッジ形のインバータ回路として構成される。トランジスタＴ２のコレクタ端子は入力端子Ｉ４及びトランジスタＴ４のコレクタ端子に接続されており、エミッタ端子はトランジスタＴ３のコレクタ端子及びコイルＬ２の一端に接続されており、ベース端子は入力端子Ｉ６に接続されている。トランジスタＴ５のエミッタ端子は入力端子Ｉ５及びトランジスタＴ３のエミッタ端子に接続されており、コレクタ端子はトランジスタＴ４のエミッタ端子、コンデンサＣ２の一端及び出力端子Ｏ４に接続されており、ベース端子は入力端子Ｉ９に接続されている。トランジスタＴ３のベース端子は入力端子Ｉ７に接続されており、トランジスタＴ４のベース端子は入力端子Ｉ８に接続されている。コンデンサＣ２の他端は、コイルＬ２の他端及び出力端子Ｏ３に接続されている。出力端子Ｏ３とＯ４はランプ２０（図１参照）の各電極にそれぞれ接続され、出力端子Ｏ３、Ｏ４から交流信号１３２（図１参照）が出力される。さらに、出力端子Ｏ３とＯ４の間には高圧発生回路１４０（図１参照）が接続される。入力端子Ｉ４、Ｉ５にはそれぞれダウンコンバータ１２０の出力端子Ｏ１、Ｏ２（図２参照）が接続される。入力端子Ｉ４にはダウンコンバータ１２０が出力する直流信号１２２（図１、図２参照）が供給され、入力端子Ｉ５には一定の電位（例えば、グランド電位）が供給され、入力端子Ｉ４とＩ５の間には一定の直流電圧（例えば、５０Ｖ〜１３０Ｖ）が印加される。入力端子Ｉ６、Ｉ９にはそれぞれトランジスタＴ２、Ｔ５のオン／オフを制御する制御信号４４２（図１参照）が供給され、入力端子Ｉ７、Ｉ８にはそれぞれトランジスタＴ３、Ｔ４のオン／オフを制御する制御信号４４２’（制御信号４４２の反転信号）が供給される。すなわち、トランジスタＴ２とＴ５がオンする時はトランジスタＴ３とＴ４はオフし、トランジスタＴ２とＴ５がオフする時はトランジスタＴ３とＴ４がオンするように制御される。従って、所定の周期でＴ２及びＴ５のオン／オフとＴ３及びＴ４のオン／オフを排他的に繰り返すことにより、出力端子Ｏ３及びＯ４に接続されるランプ２０（図１参照）の電極間には周期的に極性が変わる交流の放電灯電流１４２（図１参照）が供給される。トランジスタＴ２〜Ｔ５のオン／オフの周波数が駆動周波数になるので、図１におけるシステムコントローラ４１０は、周波数設定回路４４０が生成する制御信号４４２（例えば、矩形波信号）の周波数を調整することにより、出力端子Ｏ３とＯ４を介してランプ２０の電極間に所定の駆動周波数を有する放電灯電流１４２が供給されるように制御する。
【手続補正３】
【補正対象書類名】図面
【補正対象項目名】図３
【補正方法】変更
【補正の内容】
【図３】
2009135118.tif 000001